(57)【要約】      （修正有）【課題】主として女性が通勤の装身具として毎日のように使い分けて装着する複数のネックレスを絡まり合ったり、重なりあったりすることなく整理よく吊り下げられ、且つ外部から中を容易に目視と選別ができて服装と合わせるイメージが湧き、インテリアとしても役立つ収納ケースを提供する。【解決手段】透明のプラスチック又はガラス等から成る縦長の筒形容器体1と、その縦長筒形容器体の上部開口7を塞ぐ蓋体4とから成り、当該蓋体の底面にネックレス吊り下げ用フック形掛け具5を複数設けた。【選択図】図２
2005287634.tif 000002
【特許請求の範囲】
【請求項１】
透明のプラスチック又はガラス等から成る縦長の筒形容器体(1)と、その縦長筒形容器体の上部開口(7)を塞ぐ蓋体(4)とから成り、当該蓋体の底面にネックレス吊り下げ用掛け具(5)を複数設けたことを特徴とするネックレス収納ケース。
【発明の詳細な説明】
【技術分野】
【０００１】
本発明はネックレス収納ケースに関するものであり、主として女性が通勤の装身具として毎日のように使い分けて装着する複数のネックレスを絡まり合ったり、重なりあったりすることなく整理よく吊り下げられ、且つ外部から中を容易に目視と選別ができて服装と合わせるイメージが湧き、インテリアとしても役立つようにしたものである。
【背景技術】
【０００２】
一般に指輪、イヤリング、腕時計等の装身具は、使用しないときは化粧ケースに保管される。そして、ネックレスも長い化粧ケースに納めて保管する。この場合、1個毎に1個のケース保管することは、複数のケースが嵩張ってしまう。そこで一個のケースに複数のネックレスを納めておくことが行われる。しかしながら、ケースの中が見えないため、一々ケースを開けないと中身が確認できない。また、ケース内においてネックレス同士が絡みあったり重なりあったりして取り出しにくかった。
【０００３】
従来にあっては下記の発明考案が開示されている。
【特許文献１】実開平04−027821号公開実用新案公報
【特許文献２】特開2001−087101号公開特許公報
【特許文献３】特開平11−290178号公開特許公報
【発明の開示】
【発明が解決しようとする課題】
【０００４】
上記の特許文献1にあっては、非透明体の外筒部の中心部に内筒を成形し、その内筒の開口縁部に切欠きを有する容器本体と、その容器本体の開口を閉止する蓋体とから成る首飾り収納容器の構成である。これによって、複数の首飾りを縦方向に収容できるが、中身が見えないので蓋を開けて取り出さないと中身が確認できない。また、首飾りに上部を内筒の切欠きに引っ掛けて折り返す徒共に下端部を底部に幾重にも折り重ねた状態になっているので、複数の首飾りを収容すると内簡内で区部飾りが絡みあって取り出しにくい。
【０００５】
また、特許文献２にあっては、箱状ケース体の前側部と天板部を開閉可能とし、ケース体内の上部にバーを架設したカーテンサンプルケースであり、前記のバーにカーテンのサンプルをホックで挟著したハンギング部材をこれと一体化したフックでバーに吊下したものである。しかしながら、中身を確認するには前側面部を開かなければならない。また、中身を取り出すにはさらに天板部を開く必要がある。従って中身のカーテンをネックレスに置き換えても中身を外から見たり取り出したりするのには箱状ケース体の前側部と天板部を開閉することには変わらない。さらに、箱状ケース体であるため嵩張って場所をとり過ぎる課題がある。
【０００６】
そして、特許文献３にあっては、立体物収納展示用額に関するもので、収納箱内に吊したものが見える前面の透明ガラス板付き額縁止め金具で固定し、内部の天井部にフックやクリップを設け、装身具や身の回り品等の立体物を吊り下げて整理できる構成に成っている。しかしながら、フックやクリップが横に並んでいるため、左右両側の固定具を外し、両手で額縁を持って取り外す必要があり、中身を取り出すのには甚だ面倒である。片開きの全面部を開いたときに手前側と奥まった側の吊り下げ物とでは取り出し易さと収納のし易さに差がある。また、収納展示箱は箱状体であるため嵩張って場所をとるという課題があった。
【課題を解決するための手段】
【０００７】
そこで本発明はその目的を達成し、且つ従来技術の課題を解決するために提供するものである。
【０００８】
本発明はネックレス収納ケースにおいて、透明のプラスチック又はガラス等から成る縦長の筒形容器体と、その縦長筒形容器体の開口を塞ぐ蓋体とから成り、当該蓋体の底面にネックレス吊り下げ用掛け具を複数設けたものである。
【発明の効果】
【０００９】
本発明は上記の構成であるから次の効果がある。すなわち、第1に通常ネックレスを収納するケースというと、ネックレスそのものを寝かせた状態で収納するものが多い。その場合、ネックレスを収納する度にチェーンの部分が重なり合い、いざ使用しようとする場合には、複雑に絡みあってしまい、これを解くのに時間が掛かっていた。ところが本発明によれば。フック形掛け具を蓋体の下面に円周状に適宜の間隔をあけて設け、単一の掛け具に一個のネックレスを吊り下げると共に、その下端が内底面に設置しない高さが確保されているため、隣り合うネックレス同士が絡み合うことがない。従って、蓋体を外すだけで身に付けたいネックレスだけを簡単容易に取り出すことができる。
【００１０】
第２にネックレス収納ケースは、縦長の円筒形又は多角形の筒形を成し、その胴部は透明体であるため、外側から内部のネックレスを目視することができる。
これによって、容器体内に吊り下げられている状態において身に付けたいネックレスを予め選別できるから、蓋体を取り外したときに目的のネックレスを即座に取り出すことができ、時間の節約ができる。さらに、ケース内のネックレス自体の質感、色合い等の輝きがケースの透明体を通してインテリア効果及び室内装飾品として存在感を発揮する。
【００１１】
第３にネックレス吊り下げ用掛け具は、1個のフック体に1個のネックレスを吊り下げるようにし、且つそのフック体の吊り下げ掛止部を円弧形又はU字形若しくはV字形にしたことによって、蓋体の開閉時に当該蓋体が多少傾いてもフック体の出し入れ口からネックレスが簡単に逸脱するようなことが防止される。
【発明を実施するための最良の形態】
【００１２】
次に本発明を実施するための最良の形態について説明する。
【実施例】
【００１３】
１は無色透明又は有色透明のガラス又はプラスチックで成形した横断面が円筒形又は多角形を可とし、且つ胴部２と台座形底部３から成る縦長の筒形容器体であり、高さHはネックレスを環状にして吊り下げても下端が容器体の内底面6に接しない程度に設定してある。なお、ネックレスが環状にしなくても下端が容器体の内底面6に届かない場合は、１本にしてネックレスを吊り下げることもできる。
【００１４】
前記容器体1の胴部２と台座形底部３は、図1・図2のように一体成形するほか、図4のように別体に成形して胴部２の下端部の外周２aを台座３の筒形内周３aに嵌合することもできる。または、胴部２の下端部の内周に台座形底部３の筒形外周を嵌合することもできる。前記容器体の高さＨは、着用するネックレスＮを吊り下げたときに、その下端が内底面6に接しない程度を可とし、図1・図２にあっては高さＨ＝３０〜４０cm、筒形容器体内の直径Ｄ＝内径1０〜１５cm程度に設定したものを示す。
【００１５】
4は長筒形容器体の上部の開口7を塞ぐための摘み４′付きの開閉用蓋体である。５はその蓋体4の下端面に設けたフック形掛け具であり、内外複数の円周状に又はその他適宜に配列してある。前記の掛け具は単一のネックレスＮを吊り下げて掛止できるようにフック体の掛止部５aを円弧形（図１・図２）又はＵ字形（図５）若しくはＶ字形に成形し、蓋体4を傾けただけではネックレスＮがフック体の出し入れ口５bから簡単には外れて落下しない形状になっている。なお、図５のフック形掛け具はその基端を木ねじや釘その他の止め具８で蓋体４に固着したものを示す。
【００１６】
「具体的な使用例」  ネックレスＮを収納するには、容器体1から取り外した蓋体４のフック形掛け具５を1個あたりに1個の環状ネックレスを掛止し、吊り下げたネックレス群の下端部位を片手で束ねて窄めた状態にしながら容器体の開口７内に納めて蓋体４を閉じる。
【００１７】
容器体1に収納しているネックレスを取り出す場合は、容器体１の外から取り出すネックレスＮを予め目星をつけておき、蓋体4を持ち上げて容器体１から取り外し、目的のネックレスをフック形掛け具５の出し入れ口５bから取り出す。
【産業上の利用可能性】
【００１８】
本発明に係るネックレス収納ケースは、単にネックレスの収納するだけのケースではなく、透明な容器体によって内部のネックレスが容器体1の高さ一杯に吊り下げられ、これによって外部から質感、輝き、カラフル等に富んだ中のネックレスが看取でき、インテリアとしての効果を発揮することができる。
【図面の簡単な説明】
【００１９】
【図１】本発明に係るネックレス収納ケースの斜視図である。
【図２】図1の中央縦断面図である。
【図３】蓋体の底面図である。
【図４】容器体下部の他の実施例を示す縦断面図である。
【図５】ネックレス吊り下げ用フック形掛け具の他の例を示す正面図である。
【符号の説明】
【００２０】
１……透明の長筒形容器体
２……容器体の胴部
３……容器体の底部
４……蓋体
５……ネックレス吊り下げ用フック形掛け具
６……容器体の内底面
７……容器体の開口部
８……止め具
【図１】
2005287634.tif 000003
【図２】
2005287634.tif 000004
【図３】
2005287634.tif 000005
【図４】
2005287634.tif 000006
【図５】
2005287634.tif 000007